(57)【特許請求の範囲】
【請求項１】
外枠の各部材の各内側面を室内外方向に平らに形成し、
内枠の上内枠、下内枠、左右の縦内枠の各室外側、室内側に外方に突出する支持部を有し、
前記上内枠、下内枠、左右の縦内枠の外枠対向面における各室外側支持部より室外側に設けた溝に、弾性を有する乾式シール材を、内枠の外枠へ取付け前は前記室外側支持部より外方に突出するように取付け、
前記外枠の上下横部材と左右縦部材とにより囲まれた枠内に、前記内枠を、内枠の上内枠、下内枠、左右の縦内枠の支持部を前記外枠の上下横部材と左右縦部材の内周面にそれぞれ当接させて固定具により固定すると共に、
前記乾式シール材をそれぞれ前記外枠の上下横部材と左右縦部材の内面に圧接変形させかつ前記室外側支持部に当接させると共に、前記乾式シール材を、室外側から目視できる位置に位置させて前記内枠を前記外枠に取付けた
ことを特徴とする建具。
【発明の詳細な説明】
【０００１】
【発明の属する技術分野】
本発明は、例えば店舗用フロントサッシのように、外枠内に内枠を設け、その内枠内に引き違い窓、嵌め殺し窓、開き窓、回転窓、倒し窓、辷りだし窓その他の各種障子を取付けてなる建具に関する。
【０００２】
【従来の技術】
外枠内の上部に内枠を取付けてその内枠に例えば内倒し窓等を取付ける場合、従来は外枠と内枠との間にシリコンゴム等の湿式シール材を施工することにより、気水密性を保っていた。
【０００３】
【発明が解決しようとする課題】
しかし、シリコンゴム等の湿式シール材は、施工に手間がかかり、その結果、建具のコスト高を招くという問題点があった。
【０００４】
本発明は、上記問題点に鑑み、外枠内の内枠を介して障子を取付けてなる建具において、現場におけるシール材の施工を省くことができ、施工コストを低減することができるものを提供することを目的とする。
【０００５】
【課題を解決するための手段】
請求項１の建具は、外枠の各部材の各内側面を室内外方向に平らに形成し、
内枠の上内枠、下内枠、左右の縦内枠の各室外側、室内側に外方に突出する支持部を有し、
前記上内枠、下内枠、左右の縦内枠の外枠対向面における各室外側支持部より室外側に設けた溝に、弾性を有する乾式シール材を、内枠の外枠へ取付け前は前記室外側支持部より外方に突出するように取付け、
前記外枠の上下横部材と左右縦部材とにより囲まれた枠内に、前記内枠を、内枠の上内枠、下内枠、左右の縦内枠の支持部を前記外枠の上下横部材と左右縦部材の内周面にそれぞれ当接させて固定具により固定すると共に、
前記乾式シール材をそれぞれ前記外枠の上下横部材と左右縦部材の内面に圧接変形させかつ前記室外側支持部に当接させると共に、前記乾式シール材を、室外側から目視できる位置に位置させて前記内枠を前記外枠に取付けた
ことを特徴とする。
【０００９】
【発明の実施の形態】
図１は本発明による建具の一実施の形態を示す正面図、図２、図３はそれぞれその縦断面図、横断面図、図４は部分斜視図、図５は図２の部分拡大断面図である。
【００１０】
１は外枠、２は内枠であり、外枠１は建物躯体に固定して取付けられるものである。３は外枠１の上横部材を構成する上枠、４は外枠１の左右の縦部材を構成する縦枠、５は下横部材を構成する無目であり、これらは下枠と共に固定具により結合されて躯体に固定具により固定される。図２、図３に示すように、これらの外枠の内側面３ａ、４ａ，５ａは、室内外方向の中央部の溝６を除いて、内枠２の取付け面が平らに形成されている。
【００１１】
７、８、９はそれぞれ内枠２の上内枠、下内枠、左右の縦内枠であり、これらは固定具により結合され、内側に障子１０が取付けられる。本例においては、この障子１０として内倒し窓用の障子が装着されている例を示しているが、この他、前述のような引き違い窓、嵌め殺し窓、開き窓、回転窓、辷りだし窓等各種のものを装着できる構成が採用可能である。
【００１２】
前記上内枠７、下内枠８、縦内枠９にはそれぞれ外方に突出する室内側支持部１１と室外側支持部１２とを有する。前記上内枠７、下内枠８、縦内枠９の外枠対向面における室外側支持部１２の先端部の室外側には、シール材取付け溝１３が形成され、該取付け溝１３に乾式シール材１４が取付けられる。
【００１３】
前記内枠２は、外枠１の上枠３と無目５と左右の縦枠４とにより囲まれた枠内に、内枠２の上内枠７、下内枠８、左右の縦内枠９の２つの室内側、室外側の各支持部１１、１２を前記外枠１の上枠３、無目５、左右の縦枠４の内周面に当接させて固定具１６により固定する。同時に、前記内枠２の上内枠７、左右の縦内枠９にそれぞれ取付けた前記乾式シール材１４をそれぞれ外枠１の上枠３、左右の縦枠４の内面に圧接変形させかつ前記室外側支持部１２に当接させて内枠を外枠１に取付ける。すなわち図５に示すように、内枠２の取付け前には、二点鎖線で示すように支持部１２より外方向に突出している弾性材でなる乾式シール材１４を、内枠２を外枠１に取付けることにより圧縮して取付ける。
【００１４】
このように、内枠２の外周に乾式シール材１４を取付けておくことにより、内枠２の外枠１内への取付けと同時に気水密性の確保がなされ、シール材の施工の手間が省ける。このように、湿式シール材の施工を実質的に無くすことにより、シール材の施工を含めたコストを大幅に低減できる。また、内枠２はその取付け前には乾式シール材１４が外方に突出しているので、内枠２が外枠１の内周面に強く摩擦することが防止され、外枠１の内周面の傷つきが防止され、施工しやすくなる上、外枠１の若干のゆがみにも対応できる。また、外枠１の内側面３ａ、４ａ、５ａが内外方向に平らなので、外枠１を施工した後に内枠１を平行移動すれば、取付け、取外しが容易となる。
【００１５】
また、本実施の形態においては、乾式シール材１４が室外側から見える構造で取付けられているので、乾式シール材１４の端部の外枠１に当たる部分が短くなっている場合、または、上内枠７に取付けられた乾式シール材１４の端部に直交する縦内枠９の内側面に当たる部分が短くなっている場合、その乾式シール材１４の欠落部分を目で確認することができ、その部分に湿式シール材を施すことにより補修することができる。
【００１６】
本発明は、外枠１を構成する上下横部材が、躯体に固定される上枠、下枠である場合にも、また、上下の横部材が、上または下に窓が連続する無目である場合にも適用できる。その他、外枠１、内枠２、障子１０、支持部１１、１２、シール材取付け溝１３、乾式シール材１４等について、上記例に限らず、種々の変更、付加が可能である。
【００１７】
【発明の効果】
本発明によれば、外枠の各部材の各内側面を室内外方向に平らに形成し、内枠の上内枠、下内枠、左右の縦内枠には外方に突出する支持部を有し、該内枠の上内枠、下内枠、左右の縦内枠の外枠に対向する部分に乾式シール材を取付け、  前記外枠の上下横部材と左右縦部材とにより囲まれた枠内に、前記内枠を、内枠の上内枠、下内枠、左右の縦内枠の支持部を前記外枠の上下横部材と左右縦部材の内周面にそれぞれ当接させて固定具により固定すると共に、前記内枠の上内枠、下内枠および左右の縦内枠の前記乾式シール材をそれぞれ前記外枠の上下横部材と左右縦部材の内面に圧接変形させて内枠を取付けたので、外枠内に内枠を取付ける際には、湿式シール材の施工は不要かあるいはシール材の端部について行えばよく、湿式シール材の施工の手間が大幅に省ける。このため、シール材の施工手間が大幅に低減でき、建具の施工コストが低減できる。
【００１８】
また、前記乾式シール材を、室外側から目視できる位置に設けたので、乾式シール材の端部に不足部分があって隙間が生じているような場合、目で見て補修することができる。
【００１９】
また、内枠はその取付け前には乾式シール材が外方に突出しているので、内枠が外枠の内周面に強く摩擦することが防止され、外枠の内周面の傷つきが防止され、施工しやすくなる上、外枠の若干のゆがみにも対応できる。
【図面の簡単な説明】
【図１】本発明による建具の一実施の形態を示す正面図である。
【図２】本実施の形態の建具の縦断面図である。
【図３】本実施の形態の建具の横断面図である。
【図４】本実施の形態の建具の部分斜視図である。
【図５】図２の部分拡大断面図である。
【符号の説明】
１：外枠、２：内枠、３：上枠、３ａ：内側面、４：縦枠、４ａ：内側面、５：無目、５ａ：内側面、６：溝、７：上内枠、８：下内枠、９：縦内枠、１０：障子、１１、１２：支持部、１３：シール材取付け溝、１４：乾式シール材、１６：固定具
【図１】
0004291466.tif 000002
【図２】
0004291466.tif 000003
【図３】
0004291466.tif 000004
【図４】
0004291466.tif 000005
【図５】
0004291466.tif 000006